(57)【要約】      （修正有）【課題】カード類を携帯電子端末と併せて持ち運び可能とする携帯カードケースを提供する。【解決手段】左右片３，４を有してなると共に、前記左右片を見開いた状態から前記ヒンジ部５で折畳可能に形成されてなる本体部２と、一片の外縁から突出するように設けられてなる突出片８と、前記一片の内側面と前記他片の内側面との一方又はその両方には、カード類を挿入自在に形成されてなるポケット１７ａ，１７ｂが形成されてなり、前記突出片の先端部には、指が挿通自在となる大きさに形成されてなるリング１２が配設されてなる。携帯カードケース１にカード類が挿入され、かつ、携帯カードケース１がコンパクトに折畳まれて、携帯電子端末Ｓと併せてカード類を容易に持ち運ぶことが可能となる。さらにポケットから抜けそうになったカードが肉薄部５に当接するため、カード類の抜け落ちが防止される。【選択図】図４
2020188954.tif 000002
【特許請求の範囲】
【請求項１】
見開いた状態において、ヒンジ部を介して左右方向に連接された左右片を有してなると共に、前記左右片を見開いた状態から前記ヒンジ部で折畳可能に形成されてなる本体部と、
折畳まれた状態において外側となる面のうち、前記左右片の一片の外側面に配設されてなり、携帯電子端末の背面若しくは携帯電子端末ケースの背面と前記本体部との取付けを可能とする取付手段と、
前記一片の外縁から突出するように設けられてなる突出片と、
前記左右片の他片の外側面に前記突出片と係止可能に配設されてなる係止部材と、を備えてなり、
前記一片の内側面と前記他片の内側面との一方又はその両方には、カード類を挿入自在に形成されてなるポケットが形成されてなり、
前記突出片の先端部には、指が挿通自在となる大きさに形成されてなるリング部材が配設されてなる
ことを特徴とする携帯カードケース。
【請求項２】
前記突出片の先端部に貫通孔が形成されてなり、
前記リング部材の一部は、該一部を回動軸として前記貫通孔に挿通されてなり、
前記リング部材は、前記回動軸を回動中心として任意の回動角度で静止可能に回動自在であることを特徴とする請求項１に記載の携帯カードケース。
【請求項３】
前記貫通孔は、前記突出片の先端部が巻回されることにより形成されてなる
ことを特徴とする請求項２に記載の携帯カードケース。
【請求項４】
前記突出片の先端部に配設されてなるリング座を有し、
前記リング座は、
前記突出片の前記リング座と接する面と直角となる方向を軸として回動自在に形成されてなり、
前記リング部材は、
前記リング部材の一部を回動軸として前記リング座に枢設されてなり、前記回動軸を回動中心として任意の回動角度で静止可能に回動自在である
ことを特徴とする請求項１に記載の携帯カードケース。
【請求項５】
前記本体部が折畳まれた状態を保持する係止手段を有してなる
ことを特徴とする請求項１〜請求項４のいずれか一つに記載の携帯カードケース。
【請求項６】
前記リング部材を構成する輪の一部が開放可能に形成されてなる
ことを特徴とする請求項１〜請求項５のいずれか一つに記載の携帯カードケース。
【発明の詳細な説明】
【技術分野】
【０００１】
本発明は、スマートフォン等の携帯電子端末の背面に取り付けて使用して、カード類を携帯電子端末と併せて持ち運び可能とする携帯カードケースに関する。
【背景技術】
【０００２】
従来、特許文献１に係るカメラ露出が可能で携帯電子端末を携帯可能な張財布が知られているが、その構成の概略は、折り畳まれる張財布の一側面には紙幣やカードなどを収納することができる収納部を形成して、対応される他側面には一定面積で接着面を具備するようにして、前記接着面は上下に昇降されるスライド材に接着するようにして、前記スライド板はスライド空間で上下に昇降するようにしたものである。
【先行技術文献】
【特許文献】
【０００３】
【特許文献１】実登第３２０４８５６号公報
【発明の概要】
【発明が解決しようとする課題】
【０００４】
しかし、従来技術は、カード等を収納することができる収納部を有している一方で携帯電子端末の使用をする際には、携帯電子端末の正面を覆っている張財布の一側面を折り畳み部を軸として携帯電子端末の正面から離間する方向に回動させ、携帯電子端末の画面を露出させなければ、スマートフォンを操作することができなかった。
【０００５】
したがって、従来技術は、いわゆる手帳型のスマートフォンケースを使用するのが前記の点で煩わしいと考える消費者のニーズに応えることができるものではなかった。
【課題を解決するための手段】
【０００６】
そこで、上記課題を解決する手段として本発明に係る携帯カードケースは、見開いた状態において、ヒンジ部を介して左右方向に連接された左右片を有してなると共に、前記左右片を見開いた状態から前記ヒンジ部で折畳可能に形成されてなる本体部と、折畳まれた状態において外側となる面のうち、前記左右片の一片の外側面に配設されてなり、携帯電子端末の背面若しくは携帯電子端末ケースの背面と前記本体部との取付けを可能とする取付手段と、前記一片の外縁から突出するように設けられてなる突出片と、前記左右片の他片の外側面に前記突出片と係止可能に配設されてなる係止部材と、を備えてなり、前記一片の内側面と前記他片の内側面との一方又はその両方には、カード類を挿入自在に形成されてなるポケットが形成されてなり、
前記突出片の先端部には、指が挿通自在となる大きさに形成されてなるリング部材が配設されてなることを特徴とする。
【０００７】
また、前記突出片の先端部に貫通孔が形成されてなり、前記リング部材の一部は、該一部を回動軸として前記貫通孔に挿通されてなり、前記リング部材は、前記回動軸を回動中心として任意の回動角度で静止可能に回動自在であることとしても好ましい。
【０００８】
また、前記貫通孔は、前記突出片の先端部が巻回されることにより形成されてなる
こととしても好ましい。
【０００９】
また、前記突出片の先端部に配設されてなるリング座を有し、前記リング座は、前記突出片の前記リング座と接する面と直角となる方向を軸として回動自在に形成されてなり、前記リング部材は、前記リング部材の一部を回動軸として前記リング座に枢設されてなり、前記回動軸を回動中心として任意の回動角度で静止可能に回動自在である
こととしても好ましい。
【００１０】
また、前記本体部が折畳まれた状態を保持する係止手段を有してなる
こととしても好ましい。
【００１１】
また、前記リング部材を構成する輪の一部が開放可能に形成されてなる
こととしても好ましい。
【発明の効果】
【００１２】
本発明に係る携帯カードケースによれば、携帯電子端末に直接に、又は、カード類収納部を有しないケースにカード類収納部を具備させることができる。
【００１３】
さらに、所謂手帳型の携帯電子端末保護カバーは、携帯電子端末を使用する度に、一片を開放し操作画面を露出させなければならないが、本発明に係る携帯カードケースによれば、前記点で所謂手帳型の携帯電子端末保護カバーの使用が煩わしいと考えている使用者であっても、前記煩わしさを回避し、かつ、携帯電子端末と併せてカード類の持ち運びを容易に行うことができることとなる。
【００１４】
また、本発明に係る携帯カードケースによれば、携帯カードケースを折り畳んだ状態で携帯電子端末を保持する際に、リング部材に指を挿通することで、携帯電子端末の落下を防止し、携帯電子端末を保持することができる。
【００１５】
さらに、本発明に係る携帯カードケースによれば、前記突出片の先端部に指が挿通自在となる大きさに形成されてなるリング部材が配設されてなることにより、前記リング部材に指を挿通して引っ張ることができ、前記突出部材と前記係止部材との係止状態を容易に解除することができる。
【００１６】
またさらに、前記突出片の先端部に前記リング部材が配設されてなることにより、前記リング部材を鞄等の内部に用意したカラビナ等に挿通することで、鞄内での携帯電子端末及びカード類の紛失を防止することができ、また、すぐに所望のカード類及び携帯電子端末を取り出すことができる。
【図面の簡単な説明】
【００１７】
【図１】携帯カードケース１の折り畳まれた状態を示す斜視図である。
【図２】携帯カードケース１を携帯電子端末Ｓに取り付けた状態で、かつ、第一突出片８と係止部材との係止状態を解除した状態を示す斜視図である。
【図３】（ａ）は、携帯カードケース１を開いた状態の外側面を示す図である。（ｂ）は、携帯カードケース１を開いた状態の内側面を示す図である。
【図４】携帯カードケース１を携帯電子端末Ｓに取り付けた状態で、かつ、携帯カードケース１を開いた状態を示す斜視図である。
【図５】携帯カードケース１を用いて、携帯電子端末Ｓを立て掛けた状態に支持する状態を示す斜視図である。
【図６】（ａ）は、本体部２が折畳まれた状態を保持する係止手段を有しない携帯カードケース１を開いた状態の外側面を示す図である。（ｂ）は、本体部２が折畳まれた状態を保持する係止手段を有しない携帯カードケース１を開いた状態の内側面を示す図である。
【図７】リング座１８を有する携帯カードケース１の斜視図である。
【発明を実施するための形態】
【００１８】
以下、本発明に係る実施の形態を、図を参照しながら詳しく説明する。なお、本明細書及び図面において、実質的に同一の機能構成を有する構成要素については、同一の符号を付することにより重複説明を省略する。
【００１９】
〔実施形態１〕
図１から図５に基づいて、本発明に係る携帯カードケース１の実施形態１を説明する。図１は、携帯カードケース１の折り畳まれた状態を示す斜視図であり、図２は、携帯カードケース１を携帯電子端末Ｓに取り付けた状態で、かつ、第一突出片８と係止部材との係止状態を解除した状態を示す斜視図であり、図３（ａ）は、携帯カードケース１を開いた状態の外側面を示す図であり、図３（ｂ）は、携帯カードケース１を開いた状態の内側面を示す図であり、図４は、携帯カードケース１を携帯電子端末Ｓに取り付けた状態で、かつ、携帯カードケース１を開いた状態を示す斜視図であり、図５は、携帯カードケース１を用いて、携帯電子端末Ｓを立て掛けた状態に支持する状態を示す斜視図である。
【００２０】
実施形態１における携帯カードケース１の構成は、左右片がヒンジ部を介して連接されてなる本体部２を有する。さらに、携帯電子端末Ｓの背面と本体部２との取付を可能とする取付手段である両面接着シール６を有する。またさらに、一片３の外縁から突出するように設けられてなる第一突出片８を有する。さらに、他片４の外側面に配設されてなる係止部材である第一係止雄スナップ９ａを有する。またさらに、一片３の内側面と他片４の内側面とにそれぞれ配設されてなるポケット１７ａ，１７ｂを有する。さらに、第一突出片８の先端に配設されてなるリング１２を有する。さらに、本体部２が折畳まれた状態を保持することができる係止手段を有する。また、本体部２の外縁には、携帯カードケース１の耐久性の向上を図るため縫目１６が一周にわたって形成されてなる。
【００２１】
図３に示すように、本体部２は、見開いた状態において、ヒンジ部である肉薄部５を介して左右方向に連接された左右片である一片３と他片４とを有してなる。また、一片３と他片４とは、それぞれ肉薄部５よりも硬質に形成されてなり、肉薄部５を介して一片３と他片４とを折り畳むことができる。
ここで、本実施形態における携帯カードケース１は、一片３の内側面と他片４の内側面とが対峙する方向、及び、一片３の外側面と他片４の外側面とが対峙する方向の両方向に折畳むことができるようになっている。しかし、本発明におけるヒンジ部は、該両方向に折畳むことができるものに限られず、一片３の内側面と他片４の内側面とが対峙する方向にのみ折畳むことができるものでもよい。
【００２２】
また、本体部２は、折り畳んだ状態において上下方向（肉薄部５の長さ方向をいう。）長が１０ｃｍ程度、左右方向（本体部２を見開いた状態における左右片の連接方向をいう。）長が６ｃｍ程度となっている。これは、携帯カードケース１を折り畳んだ状態で、一般的なカード類よりも大きく、かつ、携帯電子端末Ｓの下端からカメラまでの上下方向長より短い大きさとなっている。
前記大きさは、携帯電子端末Ｓであるスマートフォンに取り付けた際に、一般的な大きさのスマートフォンであれば、本体部２によってカメラのレンズ部が隠れない大きさとなっている。したがって、一般的な大きさのスマートフォンを所持している使用者は、携帯カードケース１の使用をしている状態においても、携帯カードケース１によってカメラの撮影が妨げられることがない。しかし、本発明における本体部２は、上記の大きさに限られるものではなく、普段携帯電子端末Ｓにおけるカメラを使用しない携帯カードケース１の使用者に対しては、さらに大きな本体部２とすることができるものとし、また、大きな本体部２を有する本発明の本体部２に、携帯電子端末Ｓのカメラに対応する位置に開口を設け、カメラによる写真の撮影を可能としてもよい。
【００２３】
携帯電子端末Ｓの背面と本体部２との取付を可能とする取付手段である両面接着シール６は、一片３の外側面の略全面にわたって配設されてなる。これにより、携帯電子端末Ｓの背面と、本体部２とを接着、取付することが可能となる。また、両面接着シール６の一片３と当接しない面には、剥離紙７が貼付されてなる。これにより、携帯カードケース１の使用者が本体部２を携帯電子端末Ｓに貼り付けるまでの間に両面接着シール６に埃などのゴミが付着することによる、両面接着シール６の粘着力の低下を防止することができる。
なお、本発明は、取付手段によって携帯電子端末Ｓの背面に取り付けることができるものであるが、かならずしも携帯電子端末Ｓの背面に直接取り付けることを要するものではなく、携帯電子端末Ｓを落下等から保護する携帯電子端末ケースＣの背面に取り付けることとしてもよい。
【００２４】
また、一片３の外縁から突出するように設けられてなる第一突出片８は、本体部２の一片３の側縁から突出するように本体部２と一体形成されてなる。
さらに、第一突出片８は、第一突出片８の左右方向長の中間よりも僅かに本体側において、第一突出片８の内側面の方向を第二係止雄スナップ１０ａと係合する方向として、第一突出片８の内側面と外側面とを貫設されてなる第二係止雌スナップ１０ｂを有する。さらに、第一突出片８の左右方向長の中間よりも僅かに本体に対して反対側において、折り返された第一突出片８を折り返された状態に固定するように、第一突出片８の内側面の方向を第一係止雄スナップ９ａと係合する方向として、折り返された第一突出片８の外側面から折り返されていない第一突出片８の外側面へと貫設されてなる第一係止雌スナップ９ｂを有してなる。
【００２５】
さらに、第一突出片８の前記巻回された部分には、図１に示すように、リング１２の貫通孔１５に対する挿通部分である回動軸部の直径よりも僅かに小さい直径寸法の貫通孔１５が形成されてなる。貫通孔１５の直径が当該寸法となっている場合は、貫通孔１５に挿通されたリング１２の一部を回動軸として回動自在に枢設されたリング１２を、貫通孔を形成する突出片の一部が締め付けることによって、任意の回動角度に固定することができることとなる。
【００２６】
本実施形態においては、第一突出片８の巻回部分の左右方向の幅を、巻回されたことにより形成される貫通孔１５の直径がリング１２を締め付けることができる寸法となっているが、第一突出片８の貫通孔１５の直径は、上記寸法に限られるものではなく、任意の寸法とすることもできる。
さらに、前記貫通孔１５は、第一突出片８を巻回することにより形成されるものに限られず、例えば、第一突出片８の内側面と外側面との間に孔を開けることにより形成してもよく、また、第一突出片８の厚み方向に孔を開けることにより形成してもよい。
【００２７】
係止部材である第一係止雄スナップ９ａは、他片４の外側面であって、本体部２を一片３の内側面と他片４の内側面とを対峙するように折畳み、第一突出片８を他片４の肉薄部５と連接されてなる辺の対辺となる辺の外縁を他片４の外側面へと折り返した際に第一係止雌スナップ９ｂと対応する位置に配設されてなる。
【００２８】
また、本実施形態では、一片３の内側面と他片４の内側面とのそれぞれに一つずつのポケット１７ａとポケット１７ｂが配設されてなる。ポケット１７ａは、一片３の内側面に配設されてなり、内側面の肉薄部５に近接する部分にカード類の長手方向の長さと略同寸法の開放口を形成してなり、ポケット１７ｂは、他片４の内側面に配設されてなり、内側面の肉薄部５に近接する部分にカード類の長手方向の長さと略同寸法の開放口を形成してなる。
ポケット１７ａ、１７ｂの開放口を前記の通り、ヒンジ部である肉薄部５の方向に配設した場合には、本体部２を折り畳んだ際に、カード類が開放口から抜けそうになった場合であっても、抜けそうになったカードと折り畳まれた肉薄部５とが当接し、それ以上カードがポケット１７ａ、１７ｂから抜け出すのを防止する。これにより、カード類が携帯カードケース１の使用者の知らない間に携帯カードケース１から抜け出し、カード類を紛失してしまうという事態を防止することができる。
【００２９】
また、本発明におけるリング１２は、指を挿通自在な大きさの空洞を空けて形成されてなり、第一突出片８の先端部が巻回されることにより形成されてなる貫通孔１５に挿通されてなる。さらに、リング１２を構成する輪の一部には、開放軸１４を軸として常時閉の状態で、リング１２の径方向内側に向って力を加えた時に開放可能となる開放部１３が形成されてなる。また、リング１２は、貫通孔１４に挿通されてなるリング１２の一部である回動軸（図示しない。）を回動中心として回動自在であり、前記回動軸が貫通孔１５に挿通されてなる。
【００３０】
また、本実施形態における本体部２が折畳まれた状態を保持することができる係止手段は、第二突出片１１と、第二係止雄スナップ１０ａと、第二係止雌スナップ１０ｂとからなる。また、第二突出片１１は、本体部２の他端の肉薄部５と連接されてなる辺との対辺となる側縁から突出してなる。さらに、第二係止雄スナップ１０ａは、第二突出片１１の先端部において第二突出片１１の内側面と外側面とを貫通してなり、前記先端部の内側方向を係止部としてなる。またさらに、第二係止雌スナップ１０ｂは、第一突出片８に配設されてなる。
【００３１】
前記係止手段により、第一係止雄スナップ９ａと第一係止雌スナップ９ｂとの係止状態を解除した場合においても、一片３と他片４との折り畳み状態を保持することができる。
【００３２】
上記構成の携帯カードケース１は、カード類を挿入して、携帯電子端末Ｓと併せてカード類を容易に持ち運ぶことができると共に、携帯電子端末Ｓを落下から防止することができる携帯電子端末保持具として使用することができる。また、携帯電子端末Ｓを起立した状態に保持する携帯電子端末Ｓスタンドとして使用することができる。さらに、携帯カードケース１を鞄内に繋止することで、カード類及び携帯電子端末Ｓを鞄内からすぐに取り出すこともできる。
【００３３】
携帯電子端末Ｓと併せてカード類を容易に持ち運び、カード類を携帯カードケース１から取り出す場合について説明する。
【００３４】
まず、両面接着シール６から剥離紙７を剥離することで携帯カードケース１の一片３の外側面に表れた接着部を携帯電子端末Ｓ若しくは携帯電子端末ケースの背面に貼り付けることで、携帯電子端末の背面と携帯カードケース１の本体部２とを取り付ける。
【００３５】
次に、携帯電子端末Ｓの背面に取付けられた携帯カードケース１の第一係止雄スナップ９ａと第一係止雌スナップ９ｂとの係止状態を解除し、かつ、第二係止雄スナップ１０ａと第二係止雌スナップ１０ｂとの係止状態を解除することで、本体部２を見開いた状態として、本体部２の内側に配設されてなるポケット１７ａとポケット１７ｂとを露出させる。
【００３６】
次に、露出したポケット１７ａとポケット１７ｂとのそれぞれの開放口に、所望のカード類を挿入することができる。なお、ここで、ポケット１７ａとポケット１７ｂとの双方にカード類を挿入することもでき、また、ポケット１７ａ若しくはポケット１７ｂの一方にのみカード類を挿入することもできる。
【００３７】
その次に、カード類を挿入した携帯カードケース１の本体部２を一片３の内側面と他片４の内側面とが対峙するように折り畳み、第一係止雄スナップ９ａと第一係止雌スナップ９ｂとを係止する。また、さらに第二係止雄スナップ１０ａと第二係止雌スナップ１０ｂとを係止してもよく、又は、第一係止雄スナップ９ａと第一係止雌スナップ９ｂとを係止することに代えて、第二係止雄スナップ１０ａと第二係止雌スナップ１０ｂとを係止することとしてもよい。
【００３８】
これにより、携帯カードケース１にカード類が挿入され、かつ、携帯カードケース１がコンパクトに折畳まれて、携帯電子端末Ｓと併せてカード類を容易に持ち運ぶことが可能となる。さらにポケット１７ａ、１７ｂから抜けそうになったカードが肉薄部５に当接するため、カード類の抜け落ちが防止される。
【００３９】
また、レジなどで携帯カードケース１からカード類を取り出す際には、まず、第一突出片８と他片４の外側面との係止状態を解除するためにリング１２を引っ張り、第一係止雄スナップ９ａと第一係止雌スナップ９ｂとの係止状態を解除する。ここで、本発明に係る携帯カードケース１は、第一突出片８の先端部にリング１２が配設されてなることにより、第一突出片８と他片４の背面との隙間に指を潜り込ませて、第一係止雄スナップ９ａと第二係止雌スナップ１０ｂとの係止状態を解除しなくとも、第一突出片８の先端部に配設されてなるリング部材に指を掛けて引くことで第一係止雄スナップ９ａと第一係止雌スナップ９ｂとの係止状態を解除することができるため、第一突出片８の係止状態を解除するのが容易である。
【００４０】
その次に、携帯カードケース１の一片３と他片４との折りたたみ状態を展開し、ポケット１７ａとポケット１７ｂとを露出させる。
【００４１】
これにより、カード類を使用する際に容易にカード類を取り出すことができ、本発明の効果が奏される。
【００４２】
次に、携帯電子端末Ｓを落下から防止することができる携帯電子端末Ｓ保持具として使用する場合について説明する。
【００４３】
まず、一片３の内側面と他片４の内側面とが対峙する状態に折畳まれた携帯カードケース１の第一係止雄スナップ９ａと第一係止雌スナップ９ｂとを係止状態として、第一突出片８と他片４の外側面とを係止させる。
【００４４】
その次に、任意の回動角度で静止可能に回動自在であるリング１２を、他片４の外側面に対して略垂直となる角度まで回動させ、該角度に固定する。
【００４５】
その後、他片４の外側面に対して垂直となる角度に固定されているリング１２に、携帯カードケース１の使用者の手の指を挿入し、挿入した指のある手全体で携帯カードケース１及び携帯電子端末Ｓを背面から覆うように把持する。
【００４６】
この場合、仮に携帯電子端末Ｓが手から落下しそうになった場合であっても、リング１２が挿通した指に引っ掛かることとなる。これにより、携帯電子端末Ｓが手から抜け落ちて落下することを防止することができる。
【００４７】
次に、携帯電子端末Ｓを起立した状態に保持する携帯電子端末Ｓスタンドとして使用する場合について説明する。
【００４８】
携帯カードケース１を携帯電子端末Ｓスタンドとして使用する場合には、まず、携帯電子端末Ｓスタンドを、一片３の内側面と他片４の内側面とが対峙するように折り畳む。
【００４９】
次に、折り畳んだ状態の携帯カードケース１のリング１２を任意の角度に回動・固定し、その後、肉薄部５の外側面と貫通孔１５と対向するリング１２の外周面の部分を、携帯を立てた状態に保持しようとする机などの面に当接するよう載置する。
【００５０】
この場合、リング１２が携帯電子端末Ｓを支持する支柱として働き、携帯電子端末Ｓは図５に示すように携帯カードケース１に立て掛けられ、携帯カードケース１を携帯電子端末Ｓスタンドとして使用することができる。
【００５１】
次に、カード類及び携帯電子端末Ｓを鞄内からすぐに取り出すことができる場合について説明する。
【００５２】
この場合、まず携帯カードケース１を使用者の鞄等の中に挿入し、鞄内に存在する環状体や環状につながった紐などに対して、リング１２の開放軸１４を回動軸として、リング１２の開放部１３を開放し、開放部１３よりリング１２を挿通する。
そして、その後開放部１３を閉鎖する。
【００５３】
この際、携帯カードケースを折り畳み、第一係止雄スナップ９ａと第一係止雌スナップ９ｂとの係止を解除状態とし、かつ、第二係止雄スナップ１０ａと第二係止雌スナップ１０ｂとのみを係止した状態とすることが好ましい。このようにした場合は、第二係止雄スナップ１０ａ及び第二係止雌スナップ１０ｂの係止により、鞄内で携帯カードケース１が折畳み状態から開いてしまうことを防止することができ、かつ、第一突出片８が他片４の外側面に係止されていないため、極めて容易にリング１２を鞄内の環状体や環状につながった紐などに容易に挿通することができる。
【００５４】
このようにすることで、鞄内で小物同士が移動してしまった場合であっても、リング１２とつながった第一突出片８を手繰り寄せることで、すぐに携帯カードケース１及び携帯電子端末Ｓを取り出すことができる。
【００５５】
また、リング１２が開放部１３を有しない構成とした場合であっても、鞄内に所謂カラビナ状の環状体が存在する場合等は、前記のすぐに携帯カードケース１及び携帯電子端末Ｓを取り出すことができる効果を発揮させることができる。
【００５６】
〔実施形態２〕
また、携帯カードケース１のリング１２は、図７に示すようにリング座１８に枢設されてなることとしてもよい。
【００５７】
実施形態２における携帯カードケース１は、第一突出片８の外側面の先端部に配設されてなるリング座１８とリング座１８に形成されてなる貫通孔１５と、貫通孔１５に回動軸が挿通されてなるリング１２とを有してなる。また、第一突出片８の内側面のリング座１８と対応する位置には、第一係止雌スナップ９ｂが配設されてなる（図示しない。）点で異なる。なお、実施形態１と同様に、第一係止雌スナップ９ｂは他片４の外側面に配設されてなる第一係止雄スナップ９ａと係止可能とされている。
【００５８】
また、前記リング座１８は、その中心を通る第一突出片８の外側面と垂直方向の軸を回動軸として、３６０度回動自在であり、かつ、任意の角度に固定することができる。
またさらに、リング１２は、リング座１８の貫通孔１５に挿通された回動軸を中心として、略１８０度の回動が自在であり、かつ、任意の角度に固定することができる。
【００５９】
この場合、実施形態２における携帯カードケース１の使用者は、リング座１８の貫通孔１５を、折り畳んだ状態の携帯カードケース１の短手方向と平行となる角度に固定し、かつ、リング１２を任意の角度に固定することで、携帯電子端末Ｓの長手方向を水平とした状態だけではなく、携帯電子端末Ｓの短手方向を水平として起立した状態に保持することが可能となる。
【００６０】
また、実施形態２における携帯カードケース１であっても、実施形態１と同様に、カード類を挿入して、携帯電子端末Ｓと併せてカード類を容易に持ち運ぶことができると共に、携帯電子端末Ｓを落下から防止することができる携帯電子端末保持具として使用することができる。また、携帯電子端末Ｓを起立した状態に保持する携帯電子端末Ｓスタンドとして使用することができる。かつ、携帯カードケース１を鞄内に繋止することで、カード類及び携帯電子端末Ｓを鞄内からすぐに取り出すこともできる。
【００６１】
なお、実施形態１及び実施形態２において、第一突出片８は、携帯カードケースの一片の外縁である、一片の肉薄部と連接された辺の対辺から突出することとした。しかし、第一突出片８の配設位置は前記位置に限られるものではなく、例えば、一片の肉薄部と連接された辺と共に角を形成する他の辺に配設することとしてもよい。
【００６２】
また、実施形態１及び実施形態２において、第一係止雄スナップ９ａと第一係止雌スナップ９ｂは、第一突出片８と係止可能に配設されてなる係止部材の実施形態の一例を示したものであり、上記構成に限られるものではなく、例えば、面ファスナー、ホック、磁石、爪と係止片が係合する構成等種々の構成を採用することができる。
【００６３】
また、実施形態１及び実施形態２において、第二突出片１１と第二係止雄スナップ１０ａと第二係止雌スナップ１０ｂとは、係止手段の一例を示したものである。しかし、係止手段は上記構成に限られるものでなく、例えば、面ファスナー、ホック、磁石、爪と係止片が係合する構成等種々の構成を採用することができる。
【００６４】
またさらに、本発明に係る携帯カードケース１は、図６に示すように、本体部２が折畳まれた状態を保持する係止手段である第二係止雄スナップ１０ａ及び第二係止雌スナップ１０ｂを有しない構成とすることもできる。
この場合であっても、第一係止雄スナップ９ａと第一係止雌スナップ９ｂを用い、他片４の外側面と、第一突出片８とを係止することにより、携帯カードケース１の折りたたみ状態を保持することができる。
【００６５】
また、発明を実施するための形態において、ヒンジ部は肉薄部５としたが、ヒンジ部は当該構成に限られず、例えば、蝶番を用いた構成等種々の構成を採用することができる。
【００６６】
また更に、発明を実施するための形態における一片３と他片４とは、折り畳み及び展開を容易とするために肉薄部５と比較して硬質に形成されてなることとしたが、一片３と他片４とは硬質に形成されてなるものに限られるものではなく、肉薄部５と同等の柔らかさとすることもできる。この場合であっても、ポケットにカードを収納することで、ヒンジ部である肉薄部５よりも硬質となり、折り畳み及び展開を容易とすることができる。
【００６７】
また、リング１２の開放構造は、発明を実施するための形態における構成に限られず、常時閉であり、開放可能とされている構成、例えば、開放部１３がネジ構造となっておりネジ軸に沿って回転させることで開放することができるような構成等種々の構成を採用することができる。
【００６８】
本実施形態におけるポケット１７ａ、１７ｂは、それぞれ肉薄部５の方向を開放口としているが、本発明におけるポケットは、上記位置を開放口とするものに限られず、他の位置を開放口とすることもできる。例えば、ポケット１７ａとポケット１７ｂとの開放口をそれぞれ本体部２に対して第一突出片８の方向とした場合には、第一係止雄スナップ９ａと第一係止雌スナップ９ｂとの係止状態を解除した手で、携帯電子端末Ｓの持ち手を変えることなくそのままカード類を容易取り出すことが可能となる。
【符号の説明】
【００６９】
１  携帯カードケース
２  本体部
３  一片
４  他片
５  肉薄部
６  両面接着シール
７  剥離紙
８  第一突出片
９ａ  第一係止雄スナップ
９ｂ  第一係止雌スナップ
１０ａ 第二係止雄スナップ
１０ｂ 第二係止雌スナップ
１１  第二突出片
１２  リング
１３  開放部
１４  開放軸
１５  貫通孔
１６  縫目
１７ａ ポケット
１７ｂ ポケット
１８  リング座
Ｓ  携帯電子端末
Ｃ  携帯電子端末ケース
【図１】
2020188954.tif 000003
【図２】
2020188954.tif 000004
【図３】
2020188954.tif 000005
【図４】
2020188954.tif 000006
【図５】
2020188954.tif 000007
【図６】
2020188954.tif 000008
【図７】
2020188954.tif 000009